(57)【要約】【課題】浴槽への出入りが容易とし、かつ、利用者が浴槽へ入った後の給湯時間を短縮することの可能な浴槽を得る。【解決手段】洗い場側の側壁部１６Ｆには、出入り用開口部２２が構成され、出入り用開口部２２の片側辺には、扉部材２０が取り付けられている。扉部材２０が仕切位置Ｐ２に配置された状態では、入浴空間Ｒ１は、仕切空間Ｒ２と開放空間Ｒ３とに仕切られる。また、扉部材２０が仕切位置Ｐ２に配置された状態では、止水部材３０によって扉部材２０と突出枠部３２との間が密閉され、仕切空間Ｒ２に湯溜め可能となる。【選択図】図２
2011142963.tif 000002
【特許請求の範囲】
【請求項１】
湯溜め可能な入浴空間の構成された浴槽本体と、
前記浴槽本体の洗い場側の壁部を所定の深さまで切り欠いた出入り用開口部と、
前記出入り用開口部を閉鎖する閉鎖位置と、前記出入り用開口部を開放すると共に前記入浴空間の一部に湯溜め可能な仕切空間を構成する仕切位置と、の間を移動可能な扉部材と、
を備えた浴槽。
【請求項２】
前記扉部材の周縁部には、前記閉鎖位置に配置された際には前記出入り用開口部を密閉し、前記仕切位置に配置された際には前記仕切空間を密閉する止水部材が設けられていること、を特徴とする請求項１に記載の浴槽。
【請求項３】
前記仕切空間の前記仕切位置側には、前記浴槽本体の内壁から内側に突出した突出枠部が形成され、前記扉部材の周縁部が前記突出枠部に密着されて前記仕切空間を構成すること、を特徴とする請求項１または請求項２に記載の浴槽。
【請求項４】
前記仕切空間は、仕切空間内底部が、前記入浴空間の底部よりも高く、前記扉部材の底縁部が前記仕切空間内床部と前記入浴空間の底部との間の段差部に密着されて前記仕切空間を構成すること、を特徴とする請求項１または請求項２に記載の浴槽。
【発明の詳細な説明】
【技術分野】
【０００１】
本発明は浴槽に係り、特に、浴槽への出入りが容易な浴槽ユニットに関する。
【背景技術】
【０００２】
入浴に用いられる浴槽として、従来から様々な形態が提案されている。例えば、特許文献１に記載の浴槽では、高齢者や肢体不自由者等の入浴に好適なように、浴槽のエプロン側に開閉自在な扉を設けると共に、利用者が浴槽内に入った後に、温水シャワーを噴霧することにより給湯の間の寒さ対策を行っている。
【０００３】
しかしながら、特許文献１に記載の技術では、浴槽内への給湯時間は短縮されず、利用者は長時間、給湯の完了を待たなければならない。また、温水シャワー用の装置が大がかりとなってしまう。
【先行技術文献】
【特許文献】
【０００４】
【特許文献１】特開２０００−２７１１８５号公報
【発明の概要】
【発明が解決しようとする課題】
【０００５】
本発明は、上記事実を考慮し、浴槽への出入りが容易で、かつ、利用者が浴槽へ入った後の給湯時間を短縮することの可能な浴槽を得ることを目的とする。
【課題を解決するための手段】
【０００６】
請求項１に記載の浴槽は、湯溜め可能な入浴空間の構成された浴槽本体と、前記浴槽本体の洗い場側の壁部を所定の深さまで切り欠いた出入り用開口部と、前記出入り用開口部を閉鎖する閉鎖位置と、前記出入り用開口部を開放すると共に前記入浴空間の一部に湯溜め可能な仕切空間を構成する仕切位置と、の間を移動可能な扉部材と、を備えている。
【０００７】
本発明の浴槽では、まず、扉部材を仕切位置へ配置して、仕切空間へ給湯する。仕切空間への湯溜めが完了した後、出入り用開口部を通じて利用者が浴槽内へ入る。そして、扉部材を仕切位置から閉鎖位置へ移動させて、出入り用開口部を閉鎖する。これにより、仕切空間から入浴空間全体へ湯が流出し、所定の水位となる。その後、追加で給湯を行い、通常の入浴時の水位を得る。
【０００８】
本発明の浴槽によれば、利用者の入浴前に予め有る程度の湯を仕切空間に溜めておくことができるので、浴槽へ入った後の給湯時間を短縮することができる。また、扉部材が仕切位置に配置されている時には、出入り用開口部は開放されているので、利用者は、容易に浴槽内へ入ることができる。
【０００９】
請求項２に記載の浴槽は、前記扉部材の周縁部に、前記閉鎖位置に配置された際には前記出入り用開口部を密閉し、前記仕切位置に配置された際には前記仕切空間を密閉する止水部材が設けられていること、を特徴とする。
【００１０】
このように、止水部材を設けておくことにより、入浴空間内及び仕切空間内の湯の漏出を、確実に防止することができる。
【００１１】
請求項３に記載の浴槽は、前記仕切空間の前記仕切位置側には、前記浴槽本体の内壁から内側に突出した突出枠部が形成され、前記扉部材の周縁部が前記突出枠部に密着されて前記仕切空間を構成すること、を特徴とする。
【００１２】
このように、突出枠部を形成することにより、扉部材を密着させて容易に仕切空間を構成することができる。
【００１３】
請求項４に記載の浴槽は、前記仕切空間は、仕切空間内底部が、前記入浴空間の底部よりも高く、前記扉部材の底縁部が前記仕切空間内床部と前記入浴空間の底部との間の段差部に密着されて前記仕切空間を構成すること、を特徴とする。
【００１４】
このように、前記仕切空間の仕切空間内底部を高くすることにより、入浴空間の底部との間に段差部が構成されるので、この段差部に扉部材を密着させて容易に仕切空間を構成することができる。
【発明の効果】
【００１５】
本発明は上記構成としたので、浴槽への出入りが容易とし、かつ、利用者が浴槽へ入った後の給湯時間を短縮することができる。
【図面の簡単な説明】
【００１６】
【図１】本発明の実施形態に係る浴槽で、扉部材が取り外された状態を示す斜視図である。
【図２】本発明の実施形態に係る浴槽で、扉部材が仕切位置に配置された状態を示す斜視図である。
【図３】本発明の実施形態に係る浴槽で、扉部材が仕切位置に配置された状態を示す上面図である。
【図４】本発明の実施形態に係る浴槽で、扉部材が閉鎖位置に配置された状態を示す斜視図である。
【図５】本発明の実施形態に係る浴槽で、扉部材が閉鎖位置に配置された状態を示す上面図である。
【図６】本発明の実施形態の変形例に係る浴槽で、扉部材が取り外された状態を示す斜視図である。
【発明を実施するための形態】
【００１７】
図１には、本発明の実施形態に浴槽１０が示されている。浴槽１０は、浴槽本体１２、及び、扉部材２０を備えている。
【００１８】
浴槽本体１２は、底部１４、及び、側壁部１６を備えている。底部１４は浴槽本体１２の底面を構成し、側壁部１６は浴槽本体１２の側面を構成している。底部１４及び側壁部１６に囲まれた内側に、湯溜め可能な入浴空間Ｒ１が構成されている。
【００１９】
洗い場側の側壁部１６Ｆには、出入り用開口部２２が構成されている。出入り用開口部２２は、側壁部１６Ｆの上縁から所定の深さＤ１まで切り欠かれて構成されている。出入り用開口部２２の周面には、入浴空間Ｒ１側の開口が大きくなるように厚み方向に段差部２１が構成されている。
【００２０】
出入り用開口部２２の片側辺には、扉部材２０が取り付けられている。扉部材２０は、図１に示すように、略四角板形状とされ、取付部２４及び閉鎖壁部２６を有している。取付部２４は、出入り用開口部２２の片側辺に沿ったピン２５を有しており、ピン２５を側壁部１６Ｆの内側の係合部（不図示）に係合させることにより、ピン２５の軸周りに回転可能に取り付けられている。
【００２１】
閉鎖壁部２６は、取付部２４と一体的に構成され、出入り用開口部２２の段差部２１に対応するように、段差部２７が構成され、外凸部２８を有している。閉鎖壁部２６の段差部２７が出入り用開口部２２の段差部２１に係合しつつ外凸部２８が外側に露出して側壁部１６Ｆと面一となり、閉鎖壁部２６が出入り用開口部２２に嵌め込み可能な構造とされている。閉鎖壁部２６が出入り用開口部２２に嵌め込まれた状態で、浴槽本体１２の外側に配置される面を外側面２０Ａとし、内側に配置される面を内側面２０Ｂとする。
【００２２】
扉部材２０の段差部２７から内側面２０Ｂにかけと、取付部２４側の端面から内面にかけてには、止水部材３０が設けられており、図４及び図５に示すように、扉部材２０が出入り用開口部２２に嵌め込まれた位置（以下この位置を「閉鎖位置Ｐ１」という）に配置された際に、出入り用開口部２２を閉鎖して入浴空間Ｒ１が密閉されるようになっている。また、閉鎖壁部２６の取付部２４と逆側の側端面には、出入り用開口部２２の段差部２１構成された係合凹部２３に係合可能な係合凸部２９が構成されている。係合凸部２９と係合凹部２３とが係合されることにより、扉部材２０が閉鎖位置Ｐ１に保持される。扉部材２０が閉鎖位置Ｐ１に配置された状態では、入浴空間Ｒ１は、止水部材３０によって扉部材２０と側壁部１６との間が密閉されている。
【００２３】
浴槽本体１２には、突出枠部３２が形成されている。突出枠部３２は、扉部材２０のピン２５が取り付けられた位置に沿って、側壁部１６及び底部１４の内壁から内側へ突出するように略Ｕ字状に形成されている。突出枠部３２は、扉部材２０の内側面２０Ｂの外周部分が密着可能な位置まで入浴空間Ｒ１の内側へ突出されている。
【００２４】
扉部材２０が入浴空間Ｒ１の内側へ回動して閉鎖壁部２６の内側面２０Ｂが突出枠部３２に密着された状態で、係合凸部２９が配置される位置の側壁部１６内側には、係合凹部３４が構成されている。係合凸部２９と係合凹部３４とが係合されることにより、扉部材２０が仕切位置Ｐ２に保持される。
【００２５】
扉部材２０が仕切位置Ｐ２に配置された状態では、入浴空間Ｒ１は、仕切空間Ｒ２と開放空間Ｒ３とに仕切られる。また、扉部材２０が仕切位置Ｐ２に配置された状態では、止水部材３０によって扉部材２０と突出枠部３２との間が密閉され、仕切空間Ｒ２に湯溜め可能となる。
【００２６】
次に、浴槽１０の利用について説明する。
浴槽１０を使用する際には、まず、図２及び図３に示すように、扉部材２０を仕切位置Ｐ１に配置し、仕切空間Ｒ２を構成する。そして、仕切空間Ｒ２に給湯を行う。仕切空間Ｒ２への給湯が完了した後、利用者は出入り用開口部２２を通って、浴槽本体１２内に入る。そして、図４及び図５に示すように、扉部材２０を閉鎖位置Ｐ１に配置する。これにより、仕切空間Ｒ２の湯が入浴空間Ｒ１全体に流れ込む。その後、入浴空間Ｒ１に追加の給湯を行って、所望の湯量とする。
【００２７】
本実施形態によれば、利用者の入浴前に、仕切空間Ｒ２にある程度の湯を溜めておくことができるので、利用者の入浴後の給湯時間を短縮することができる。また、仕切空間Ｒ２に湯を溜めている時には、扉部材２０は、仕切位置Ｐ２に配置されており、出入り用開口部２２は開放されているので、利用者は、出入り用開口部２２を通って容易に浴槽本体１２内へ入ることができる。
【００２８】
また、突出枠部３２が設けられているので、利用者は、突出枠部３２を手すりとして用いることもできる。
【００２９】
なお、本実施形態では、閉鎖壁材２６に止水部材３０を設けた例について説明したが、止水部材３０は、出入り用開口部２２の段差部２１、及び、突出枠部３２に設けてもよい。
【００３０】
また、本実施形態では、突出枠部３２を設け、閉鎖壁材２６と突出枠部３２とを密着させて、仕切空間Ｒ２を構成したが、図６に示すように、突出枠部３２の下側部分については、仕切空間Ｒ２を構成する側の底部１４Ａを高くして段差１４Ｄを構成し、段差１４Ｄに閉鎖壁材２６を密着させて、仕切空間Ｒ２を構成してもよい。
【符号の説明】
【００３１】
１０    浴槽
１２    浴槽本体
１６Ｆ  側壁部
２０  扉部材
２２  出入り用開口部
２６  閉鎖壁部
２７  段差部
３０  止水部材
３２  突出枠部
Ｐ１  閉鎖位置
Ｒ１  入浴空間
Ｒ２  仕切空間
Ｒ３  開放空間
【図１】
2011142963.tif 000003
【図２】
2011142963.tif 000004
【図３】
2011142963.tif 000005
【図４】
2011142963.tif 000006
【図５】
2011142963.tif 000007
【図６】
2011142963.tif 000008